(57)【特許請求の範囲】
【請求項１】
パッケージ巻成フレームに係合する力導入手段と、パッケージ巻成フレーム軸（７）に相対回動不能に固着結合された第１のレバーエレメント（８）と、巻成部ケーシング（２）内に所定限度範囲にわたって回動可能に軸支された第２のレバーエレメント（１５）とを有しており、前記力導入手段が、パッケージ巻成フレームに保持された綾巻パッケージを巻成動作の開始初期には糸ガイドドラムに圧着させかつそれ以後の巻成動作の経過中には逆方向に負荷するように、パッケージ巻成フレームに作用する形式の、綾巻パッケージを巻成する繊維機械の糸巻返し装置用のパッケージ巻成フレーム負荷軽減装置において、
前記の第１と第２のレバーエレメント（８，１５）には、夫々１つのセクターギヤ（１０，１４）が配置されて互いに噛合っており、
前記第２のレバーエレメント（１５）が、トルクを発生させる負荷手段（１９）によって負荷されており、
該負荷手段が、予荷重をかけて組込まれた引張りばね（１９）であって、
該引張りばね（１９）が、第２のレバーエレメント（１５）と、巻成部ケーシング（２）内で旋回可能に軸支されていて種々の設定位置（Ｈ，Ｍ，Ｗ）に固定可能な調整レバー（２１）との間に組込まれている、
ことを特徴とする、
綾巻パッケージを巻成する繊維機械の糸巻返し装置用のパッケージ巻成フレーム負荷軽減装置。
【請求項２】
各セクターギヤ（１０，１４）が所属のレバーエレメント（８，１５）に着脱可能に固定されている、請求項１記載のパッケージ巻成フレーム負荷軽減装置。
【請求項３】
両セクターギヤ（１０，１４）が、等しいピッチ円直径（ＴK ）を有している、請求項１又は２記載のパッケージ巻成フレーム負荷軽減装置。
【請求項４】
両セクターギヤ（１０，１４）が、異なったピッチ円直径（ＴK ）を有している、請求項１又は２記載のパッケージ巻成フレーム負荷軽減装置。
【請求項５】
第１のレバーエレメント（８）のセクターギヤ（１０）のピッチ円直径（ＴK1）が、第２のレバーエレメント（１５）のセクターギヤ（１４）のピッチ円直径（ＴK2）よりも大である、請求項４記載のパッケージ巻成フレーム負荷軽減装置。
【請求項６】
第１のレバーエレメント（８）には、緩衝シリンダ（１３）のピストン棒ヘッド（１２）が枢着されている、請求項１記載のパッケージ巻成フレーム負荷軽減装置。
【発明の詳細な説明】
【０００１】
【発明の属する技術分野】
本発明は、請求項１に上位概念として記載した通り、パッケージ巻成フレームに係合する力導入手段と、パッケージ巻成フレーム軸に相対回動不能に固着結合された第１のレバーエレメントと、巻成部ケーシング内に所定限度範囲にわたって回動可能に軸支された第２のレバーエレメントとを有しており、前記力導入手段が、パッケージ巻成フレームに保持された綾巻パッケージを巻成動作の開始初期には糸ガイドドラムに圧着させかつそれ以後の巻成動作の経過中には逆方向に負荷するように、パッケージ巻成フレームに作用する形式の、綾巻パッケージを巻成する繊維機械の糸巻返し装置用のパッケージ巻成フレーム負荷軽減装置に関するものである。
【０００２】
【従来の技術】
前記形式のパッケージ巻成フレーム負荷軽減装置を備えた糸巻返し装置は種々の実施形態で公知になっている。
【０００３】
その場合前記のパッケージ巻成フレーム負荷軽減装置は実質的に２つの役目、つまり糸ガイドドラム周面における綾巻パッケージの支承圧を調整する第１の役目と、綾巻パッケージの巻太りに伴って増大する重量を補償する第２の役目とを果たす。前記支承圧が糸張力と相俟って綾巻パッケージの密度を決定するので、全巻成動作中にわたって前記支承圧をほぼ一定に保つように努力が払われている。
【０００４】
ドイツ連邦共和国特許第２５１８６４６号明細書に基づいて公知になっている実施形態では綾巻パッケージは糸ガイドドラムの上に配置され、かつパッケージ巻成フレームは、その重心を糸ガイドドラムの方向に作用させるように構成されている。前記支承圧は巻成動作の開始時には、負荷兼負荷除去エレメントによって、殊に有利にはレバー付設部に係合していて調整アングル材に支持されている押圧ばねによって増強される。換言すれば、巻成動作の開始時には押圧ばねの作用線は先ず差し当たってはパッケージ巻成フレーム軸の後方に位置し、かつ逆時計回り方向に作用するトルクを及ぼし、該トルクによって、糸ガイドドラム上ではパッケージ巻成フレームもしくは巻成管（スリーブ）の付加的な支承圧が惹起される。
【０００５】
パッケージ直径の巻太りに伴ってパッケージ巻成フレームは、押圧ばねの作用線が先ずパッケージ巻成フレーム軸と等しい高さレベルを占める位置へ旋回する。この位置では綾巻パッケージの支承圧と、負荷兼負荷除去エレメントのばね力は中立化される。パッケージ直径の更なる巻太りに伴って押圧ばねの作用線はパッケージ巻成フレーム軸の前方へ移動し、つまりパッケージ巻成フレームの負荷は今度は、時計回り方向に作用するトルクによって除かれる。
【０００６】
前記のパッケージ巻成フレーム負荷軽減装置は、幾分修正された実施形態で実用化されて汎用されている。
【０００７】
しかし該パッケージ巻成フレーム負荷軽減装置の欠点は、個々の巻成部の支承圧の調整が１本の一貫した調整レールを介して中央制御部から行われ、該調整レールが、各巻成部の領域に夫々配置された押圧ばね用の個々の調整アングル材を旋回させることである。
【０００８】
更にドイツ連邦共和国特許第３９１１８５４号明細書に基づいて綾巻パッケージの支承圧用の制御装置が公知になっており、該制御装置では支承圧は、パッケージ巻成フレームの一方のアームに係合している空圧式推動ピストン形伝動装置によって制御される。この公知の制御装置では、綾巻パッケージの各直径に応じて最適の支承圧が検出され、この場合、支承圧制御装置は所定の支承圧補正カムを有し、かつ綾巻パッケージ直径に関連して綾巻パッケージ巻成フレーム用の駆動装置を制御する。その場合瞬間的な綾巻パッケージ直径の決定は、糸ガイドドラムの回転数と綾巻パッケージの回転数とからの回転数比の計算によって行われる。
【０００９】
この公知の制御装置は総じて比較的操作が煩雑かつ構造が複雑であり、これに伴って当然のことながら経費高になる。
【００１０】
更にまた、機械的な負荷エレメント及び複動式空圧シリンダを共にパッケージ巻成フレームに係合させている形式のパッケージ巻成フレーム負荷軽減装置がドイツ連邦共和国特許出願公開第４１２１７７５号明細書に基づいて公知になっている。夫々異なった圧力レベルを有する２つの空気圧回路に接続された空圧シリンダは、制御に応じてパッケージ巻成フレームに対して負荷をかけ、或いはパッケージ巻成フレームの負荷を軽減することができる。
【００１１】
【発明が解決しようとする課題】
冒頭で述べた形式のパッケージ巻成フレーム負荷軽減装置を出発点とする本発明の課題は、前記公知の装置を改良することである。
【００１２】
【課題を解決するための手段】
前記課題を解決するための本発明の構成手段は、請求項１の特徴部分として記載した通り、前記の第１と第２のレバーエレメントには、夫々１つのセクターギヤが配置されて互いに噛合っており、前記第２のレバーエレメントが、トルクを発生させる負荷手段によって負荷されており、該負荷手段が、予荷重をかけて組込まれた引張りばねであって、該引張りばねが、第２のレバーエレメントと、巻成部ケーシング内で旋回可能に軸支されていて種々の設定位置に固定可能な調整レバーとの間に組込まれている点にある。
【００１３】
【作用】
本発明の構成手段によって得られる利点は、装置がコンパクトになり全体的な展望が利くと共に極めて機能的に構成されていることである。殊に交換可能なセクターギヤの使用によって、レバーエレメントに作用するトルクをほぼ遊びなく伝達すること並びに装置の高い耐用寿命が保証される。更にまた交換可能なセクターギヤの使用によって、パッケージ支承圧を特殊な巻成条件に融通性をもってフレキシブルに適合させることが可能になる。
【００１４】
本発明の有利な構成手段は請求項２以降に記載した通りである。
【００１５】
本発明の有利な構成によれば、負荷手段としては、予荷重のかけられた引張りばねが使用される。このように市販されていて容易に入手可能な構成部品は、比較的低廉であるばかりでなく、摩耗に曝されることがないことに基づいて当然高い耐用寿命が得られる。
【００１６】
本発明の構成手段によって、選択的に硬巻き綾巻パッケージ（Ｈ）・平均巻き又は中硬巻き綾巻パッケージ（Ｍ）又は軟巻き綾巻パッケージ（Ｗ）を巻成できるように負荷軽減装置を設定することが簡単に可能になる。
【００１７】
両セクターギヤが、等しいピッチ円直径を有していることによって、パッケージ支承圧を全巻成動作にわたってほぼ一定に保つことが確実に保証される。しかしながら、巻成動作の経過中にパッケージ支承圧を変化させて稼働させることが所望される場合もある。この操業例では両セクターギヤが、異なったピッチ円直径を有している構成手段が有利である。
【００１８】
第１のレバーエレメントのセクターギヤのピッチ円直径が、第２のレバーエレメントのセクターギヤのピッチ円直径よりも大であれば、綾巻パッケージ直径の巻太りに伴ってパッケージ支承圧は撤回される。この場合のパッケージ支承圧の尺度は、ピッチ円直径の異なったセクターギヤの適正な選定によって規定することができる。
【００１９】
第１のレバーエレメントには、緩衝シリンダのピストン棒ヘッドが枢着されている構成手段によって、糸ガイドドラムに接して転動する綾巻パッケージによって発生する振動が可能最大限に抑圧され、ひいては糸巻返し装置の静かな運転と、綾巻パッケージの巻成構造とに有利な作用が及ぼされる。
【００２０】
【実施例】
次に図面に基づいて本発明の実施例を詳説する。
【００２１】
図１では巻成部３０が側面図で示されている。巻成部ケーシング２は部分的に開かれている。巻成部ケーシング２には、慣用のようにパッケージ巻成フレーム３が支承されており、該パッケージ巻成フレームのフレームアーム間では巻成管装着部４内に巻成管（スリーブ）５が回転可能に保持されている。巻成管５は糸ガイドドラム６上に載っておりかつ該糸ガイドドラムによって摩擦接続を介して駆動される。
【００２２】
パッケージ巻成フレーム３はパッケージ巻成フレーム軸７を介して旋回可能に巻成部ケーシング２内に軸支されている。前記パッケージ巻成フレーム軸７には、総体的に符号１で示したパッケージ巻成フレーム負荷軽減装置の第１のレバーエレメント８が相対回動不能に固着されている。該第１のレバーエレメント８はピン継手１１を介して緩衝シリンダ１３のピストン棒ヘッド１２と連結されている。また第１のレバーエレメント８には複数本のねじボルト９又は類似の結合子を介してセクターギヤ１０が交換可能に固定されている。殊に有利にはプラスチック、例えばポリアミドなどから製作されたセクターギヤ１０は（係数序列 DIN 780 によれば）係数２及び６０ｍｍのピッチ円直径（ＴK ）を有している。
【００２３】
セクターギヤ１０は、殊に有利には同じく交換可能な、対応したセクターギヤ１４と噛合っており、該セクターギヤは、特に複数本のねじボルト１６を介して第２のレバーエレメント１５に固定されている。該第２のレバーエレメント１５は旋回軸１７を中心として所定限度範囲にわたって回動可能に巻成部ケーシング２に支承されており、かつ、前記旋回軸１７とは反対側の端部に、負荷手段１９を位置固定するための固定ピン１８を有している。
【００２４】
有利な実施形態では引張りばねとして構成された負荷手段１９は更に又、調整レバー２１の末端寄りに固着された負荷ピン２０に連接されている。調整レバー２１は旋回軸２２を中心として時計回り方向及び逆時計回り方向に調整移動可能である。巻成部ケーシング２の外側に突出した前記旋回軸２２には旋回セクター２３が配置されており（図３参照）、該旋回セクターは、綾巻パッケージの所望の巻成軟硬値を設定するための目盛を有している。
【００２５】
装置の機能
図１では巻成動作を開始するための起点位置が図示されている。本実施例では調整レバー２１は位置Ｍ（平均巻き又は中硬巻きパッケージ）にロックされた状態にある。つまり該調整レバー２１は鉛直方向の方位をとっている。該調整レバーの上位に配置されていて巻成部ケーシング２内で旋回軸１７を中心として所定限度範囲にわたって回動可能に支承されたレバーエレメント１５は、鉛直線から角度を数度だけ時計回り方向に傾斜している。このことは取りも直さず、第２のレバーエレメント１５と調整レバー２１との間に組込まれている引張りばね１９の作用線２５が第２のレバーエレメント１５の旋回軸１７の右近傍に延在しているので、第２のレバーエレメント１５には、時計回り方向に作用するトルクが発生することを意味している。該トルクは、セクターギヤ１４及び１０並びに第１のレバーエレメント８を介してパッケージ巻成フレーム３の旋回軸７に伝達され、該パッケージ巻成フレームは前記トルクの作用を受けて巻成管４を糸ガイドドラム６に圧着する。この場合、トルクを介して導入された圧着力は、摩擦接続を介して糸ガイドドラム６によって駆動される巻成管５を可能最大限にスリップなしに回転させるように選定されている。
【００２６】
綾巻パッケージ直径の巻太につれてパッケージ巻成フレーム３はパッケージ巻成フレーム軸７を中心として矢印Ｓの方向に旋回する。この旋回に伴って、第１のレバーエレメント８並びに該第１のレバーエレメント８に固着されたセクターギヤ１０も、矢印Ｇで示した旋回方向に旋回させられる。セクターギヤ１４と１０とは機能的に結合されているので、矢印Ｓの方向への旋回に伴うパッケージ巻成フレーム３の持上りによって、第２のレバーエレメント１５は矢印Ｚの方向に旋回させられる。これは換言すれば、引張りばね１９の作用線２５が逆時計回り方向で旋回軸１７へ向かって移動し、それによって導入トルクにとって有効な梃子腕長さが短縮することを意味している。作用線２５が前記旋回軸１７を通過する時点に、梃子腕長さは零になり、つまりこの時点には有効トルクは存在しない訳である。
【００２７】
巻太る綾巻パッケージ２４は巻成動作の経過につれて、図２に示した終端位置まで第２のレバーエレメント１５を旋回させる。これは、（引張りばね１９の作用線が旋回軸１７を通る）前記の中立位置を通過した後に前記引張りばね１９のばね力が再び第２のレバーエレメント１５に、トルクを生ぜしめることを意味している。該トルクが今度は逆時計回り方向に作用するのは勿論のことである。第２のレバーエレメント１５に逆時計回り方向に作用する該トルクはセクターギヤ１４及び１０並びに第１のレバーエレメント８を介してパッケージ巻成フレーム軸７に伝達されるので、パッケージ巻成フレーム３には今度は、パッケージ重量に対して逆向きに作用するモーメントが発生する。有効梃子腕長さがパッケージ直径の巻太りに伴って自動的に大きくなるので、有効トルクも増大し、従って大きくなっていくパッケージ重量は絶えず補償される。
【００２８】
トルク経過、つまり有効なパッケージ支承圧はこの場合、セクターギヤ１０，１４の適正な選定によって、例えばピッチ円直径の異なったセクターギヤを使用することによって制御することが可能である。
【００２９】
全体的に見て本発明の装置は、綾巻パッケージの巻成構造に対して比較的簡単な形式でポジティブな影響を及ぼすことのできる耐用寿命の長い装置を形成している。
【図面の簡単な説明】
【図１】巻成動作開始時を示す本発明のパッケージ巻成フレーム負荷軽減装置の側面図である。
【図２】巻成動作終了時を示す図１のパッケージ巻成フレーム負荷軽減装置の側面図である。
【図３】「硬巻きパッケージ」位置にある調整レバーを示した、図１のＩＩＩ−ＩＩＩ線に沿ったパッケージ巻成フレーム負荷軽減装置の断面図である。
【図４】異なったピッチ円直径を有するセクターギヤを機能的に互いに連結させた状態で示した構成図である。
【符号の説明】
１    パッケージ巻成フレーム負荷軽減装置、  ２    巻成部ケーシング、  ３    パッケージ巻成フレーム、  ４    巻成管装着部、  ５    巻成管、  ６糸ガイドドラム、  ７    パッケージ巻成フレーム軸、  ８    第１のレバーエレメント、  ９    ねじボルト、  １０    セクターギヤ、  １１    ピン継手、  １２    ピストン棒ヘッド、  １３    緩衝シリンダ、  １４    セクターギヤ、  １５    第２のレバーエレメント、  １６    ねじボルト、  １７旋回軸、  １８    固定ピン、  １９    引張りばねとして構成された負荷手段、  ２０    負荷ピン、  ２１    調整レバー、  ２２    旋回軸、  ２３旋回セグメント、  ２４    綾巻パッケージ、  ２５    作用線、  ３０  巻成部、  Ｍ    平均巻き又は中硬巻きパッケージ位置、  Ｈ    硬巻きパッケージ位置、  Ｗ    軟巻きパッケージ位置、  Ｇ    レバーエレメントの旋回方向を示す矢印、  Ｓ    パッケージ巻成フレームの旋回方向を示す矢印、  Ｚレバーエレメントの旋回方向を示す矢印、  ＴK ，ＴK1，ＴK2    ピッチ円直径
【図１】
0004037927.tif 000002
【図２】
0004037927.tif 000003
【図３】
0004037927.tif 000004
【図４】
0004037927.tif 000005